(57)【特許請求の範囲】
【請求項１】
差込口を有し内面に差込口の入口側の対向間隔が狭く内方側の対向間隔が広くなるよう傾斜する傾斜面を形成した本体と、該差込口に臨み上記傾斜面に転接可能に本体内に収納され該傾斜面に案内されて差込口の内方に移動するよう設けられ被挟着物を挟持するよう係止面を有するローラーを具備し、該ローラーは独立したローラーが軸方向に複数並びかつ対向状態に向かい合う一対のローラー群で構成され、上記係止面にはローラーの周方向に延びる突起と溝が形成され、上記ローラー群は、対向するローラー群の一方のローラー群の上記溝に他方のローラー群の突起が入り込む状態に組み合わせられ、上記本体には該ローラー群の一方を内方に移動させるスライドスイッチが設けられていることを特徴とする挟持具。
【請求項２】
上記本体には上記ローラー群を差込口の入口方向に押圧するばねが設けられている請求項１に記載の挟持具。
【請求項３】
上記ばねとローラー群の間には軸方向に並んだ複数の上記ローラーに接するよう受片が設けられ、該受片を介して上記ローラー群を押圧している請求項２に記載の挟持具。
【請求項４】
上記スライドスイッチは断面Ｕ字状に形成され、本体下部に形成した開口部から上下動可能に突出している請求項１に記載の挟持具。
【請求項５】
上記本体は上方に掛止孔を有する請求項１から４のいずれかに記載の挟持具。
【発明の詳細な説明】
【技術分野】
【０００１】
本発明は、傾斜面に沿ってローラーを移動させ、該ローラー間に生じる挟時作用で被挟着物を保持できるようにした挟持具に関するものである。
【背景技術】
【０００２】
本体内に設けた傾斜面に沿って転動するようローラーやボール等の転動体を設け、該転動体間に被挟着物を差し込んで該転動体間の挟持作用で被挟持物を保持するようにした挟持具が知られている（例えば、特許文献１参照）。この種の挟持具は紙やシート状物等のように、比較的軽い被挟着物の場合には保持することができるが、挟着した状態で被挟着物が左右に動揺するとローラーが斜めになって挟持作用が消失して該被挟着物が脱落したり、被挟着物の荷重が重い場合や表面が滑り易い材質の場合には確実に保持することができず、簡単に滑り落ちるおそれがあった。特に、詰替用のシャンプー液パック、リンス液パックや洗剤パックその他のパウチは表面が樹脂フィルムで構成され、重量もあるので、パウチの底を折り重ねて逆さに吊り下げようとしても、落下し易く、確実に保持することがむずかしかった。
【特許文献１】実開昭４９−７９３１３号公報（第１図、第２図）
【発明の開示】
【発明が解決しようとする課題】
【０００３】
本発明の解決課題は、上記のようにローラーやボール等の転動体を使用した挟持具において、詰替用シャンプー液パック等のパウチのように重く表面が滑り易い被挟着物を確実に挟持でき、動揺しても脱落するおそれがなく、しかも取り外す際は簡単に取り出せるようにした挟持具を提供することである。
【課題を解決するための手段】
【０００４】
本発明によれば、差込口を有し内面に傾斜面を形成した本体と、該差込口に臨み上記傾斜面に転接可能に本体内に収納され該傾斜面に案内されて差込口の内方に移動したとき被挟着物を挟持するよう係止面を有するローラーを具備し、該ローラーは軸方向に複数並びかつ対向状態に向かい合う一対のローラー群で構成され、上記本体には該ローラー群の一方を内方に移動させるスライドスイッチが設けられていることを特徴とする挟持具が提供され、上記課題が解決される。
【０００５】
また、本発明によれば、上記挟持具のローラー郡の上記係止面にはローラーの周方向に延びる突起と溝が形成され、上記ローラー群は、対向するローラー群の一方のローラー群の上記溝に他方のローラー群の突起が入り込む状態に組み合わせられている上記挟持具が提供され、上記課題が解決される。
【発明の効果】
【０００６】
本発明は、上記のように構成され、差込口を有し内面に傾斜面を形成した本体と、該差込口に臨み上記傾斜面に転接可能に本体内に収納され該傾斜面に案内されて差込口の内方に移動したとき被挟着物を挟持するよう係止面を有するローラーを具備し、該ローラーを軸方向に複数並びかつ対向状態に向かい合う一対のローラー群で構成したので、差込口からローラー群間に差し込んだ被挟着物を左右に動揺させても上記ローラー群を構成する複数のローラーが被挟着物を挟持したまま個々に動いて挟持作用を分散して負担するから、該挟持作用が消失することはなく、しかも上記ローラーの周面に形成した突起が対向するローラーの溝に入り込むようにローラー群を組み合わせておけば、この挟持作用は一層強固であり、詰替用シャンプー液パック等のパウチのように重くて滑り易いものでも確実に保持することができる。またばねにより差込口の入口方向に押圧されている上記ローラー群のいずれか一方を内方に移動させるようスライドスイッチを設けたので、該スライドスイッチを操作すれば上記挟持作用を消失させることができ、被挟着物の取り出しも容易である。
【発明を実施するための最良の形態】
【０００７】
図１〜図６は、本発明の一実施例を示し、本体１は内部に対向状態に設けられた傾斜面２を有し、かつ少し巾広に図において下方に開口する入口４を有し側面がスリット状に開口する差込口３が形成され、上記傾斜面２は該差込口の下方に位置する入口４側の対向間隔が狭く内方側の対向間隔が広くなるように傾斜している。また、該差込口の入口４は下面から見て、中央部は少し広くなるように形成されており（図６参照）、パウチ等の被挟着物５を挿入し易くしてある。該本体１の上方には掛止孔６が形成され、内部の空所７を覆うよう側面の一方にはカバー８が設けられている。該空所７には上記差込口３に臨み上記傾斜面２に転接可能で、該傾斜面２に案内されて差込口の内方に移動するようローラー９が設けられ、該ローラーの外面には被挟着物５を挟持するよう係止面が形成されている。図に示す実施例では上記傾斜面２は平面状に形成してあるが、曲面状にしてもよく、また表面に凹凸線条等の回転阻止部材を形成して被挟着物が脱落する方向へのローラーの回転を制限するようにしてもよい。
【０００８】
上記ローラーは、図７（Ａ）に示すように軸方向に複数、図に示す実施例では２個の独立したローラー９ａ、9ｂ 及び9ｃ、9ｄが並んだ一対のローラー群１０、１１で構成され、かつこのローラー群１０、１１は対向状態に向かいあっている。そして、このローラー９の係止面には周方向に延びる突起１２と溝１３が形成され、図に示す実施例では該突起１２には略山形状の凹凸が形成されているが、断面がラッチェットホイールように一方に傾斜する傾斜山形状の突条を設けたり、ピン状の係止部材を上記突起に形成してもよい。このようにしてローラーを並列したローラー群１０、１１は、図７（Ｂ）に示すように対向状態に向かい合わせたとき、上記溝１３に突起１２が入り込むような状態に組み合わせて上記空所に収納される。
【０００９】
上記ローラー９は、真ちゅうで構成してあるが、ステンレス材料その他適宜の金属材料で形成したりセラミックス、硬質プラスチック材料等で構成することもでき、また表面を軟質プラスチック材料等の滑り止め作用のある材料でコートしたり、多色成形やインサート成形の要領により一体的な滑り止め作用のある表面層を形成してもよい。
【００１０】
上記本体１内には、上記ローラー群１０、１１を差込口３の入口４方向に押圧するばね１４が設けられている。該ばねとしては、適宜のばねと使用することができるが、図３に示す実施例では、ばね材料を巻回し該巻回部１５の両端に脚片１６をハ字状に突出させたコイルばねを用いている。そして、上記ローラー群１０，１１を構成する複数のローラー9ａ、9ｂ及び9ｃ、9ｄの上面に沿って該ローラーに接する長さを有する断面略Ｕ字状の受片１７を形成し、該受片１７を介して上記各ローラーを押圧している。上記ばねを用いることにより、本体をどのような態様に位置させても使用することができるが、該本体を垂直状態で使用するならば、該ばねを省略することもできる。図において、上記ばね１４は、上記カバー８の内面に形成したスプリング押え２７で上記巻回部１５を押えることにより定位置に保持されている。
【００１１】
上記本体１には上記ローラー群１０、１１のいずれか一方を内方に移動させるためのスライドスイッチ１８が設けられている。該スライドスイッチは適宜の構造に形成することができるが、図に示す実施例においては、断面略Ｕ字状に形成され、両側の側板１９、２０が本体下部に設けた開口部２１の内面に沿って上下動可能するように上記本体１に組み込まれている。該内方の側板１９の上部には、上面が傾斜する押上板２２が形成され、該押上板２２がローラー群１０の下面に対向している。外方の側板２０は上記本体１の正面に形成した弧状の凹み部２３から一部が露出し、操作し易くしてある。
【００１２】
而して、上記挟持具を使用するには、浴室、洗面所等の壁、紙挟み等のボードその他の適宜の場所に本体を取り付けて使用すればよい。例えば、図１に示すように壁面に設けたフック部材２４に掛止孔６を引っ掛けたり、浴室で使用する場合は、例えば図４に示すように壁に吸盤２５を固定し、該吸盤２５のフック２６に上記本体１の掛止孔６を引っ掛け、詰替用シャンプー液パック等のパウチ５を逆さにして扁平に折りたたんだ該パウチの底部を上記差込口３の入口４から差し込めば、ローラー群間１０、１１の係止面で該パウチを確実に保持でき、パウチの注出口（図示略）を下に向けて垂下することができる。そして、必要量のシャンプー液を取り出して使用する際、該パウチが大きく動揺しても、上記のように複数のローラー９ａ、９ｂ及び９ｃ、９ｄで構成したローラー群１０、１１は挟持作用が個々のローラーに分散されているから、挟持作用が全体として消失することがなく、上記パウチが落下するおそれはない。また、この挟持作用は係止面に形成した突起１２と溝１３により、一層確実である。
【００１３】
上記のように使用した結果、中身が空になったら、上記スライドスイッチ１８を押し込むと、該スライドスイッチの押上板２２によって、一方のローラー群１０が内方に移動され、上記挟持作用は消出し、空になった上記パウチを取り出すことができる。
【００１４】
使用態様として、上記実施例ではシャンプー液パック等のパウチを逆さに吊るす場合の挟持具につき説明したが、本発明の挟持具はその他各種のものを挟持することができることは、明らかである。
【図面の簡単な説明】
【００１５】
【図１】本発明の一実施例を示す斜視図。
【図２】断面図。
【図３】ローラー群に沿った方向の断面図。
【図４】側面図。
【図５】正面図。
【図６】底面図。
【図７】ローラー群を示し（Ａ）は分解状態、（Ｂ）は組み合わせた状態の各説明図。
【図８】スライドスイッチの斜視図
【符号の説明】
【００１６】
１  本体
２  傾斜面
３  差込口
１０、１１ローラー群
１４  ばね
１７  受片
１８  スライドスイッチ
【図１】
0004733676.tif 000002
【図２】
0004733676.tif 000003
【図３】
0004733676.tif 000004
【図４】
0004733676.tif 000005
【図５】
0004733676.tif 000006
【図６】
0004733676.tif 000007
【図７】
0004733676.tif 000008
【図８】
0004733676.tif 000009